(57)【要約】  画像／オーディオ出力装置及び周辺装置を活用したマルチメディアシステムであって、画像／オーディオ出力機能及び周辺装置制御機能を備えて、画像及びオーディオを画像／オーディオ出力装置を用いて出力し、周辺装置を制御する移動通信端末機と、移動通信端末機と画像／オーディオ出力装置及び周辺装置とを連結して、画像及びオーディオを移動通信端末機から画像／オーディオ出力装置に中継し、移動通信端末機と周辺装置との間に送受信されるデータを中継する外部連結装置と、を含むことを特徴とする外部連結装置を用いるマルチメディアシステムを開示する。  移動通信端末機を用いてマルチメディアデータを再生する時、外部のＴＶなどの画像／オーディオ出力装置、またはコンピュータ、マウス、ジョイスチックなど、周辺装置と簡便に連結できるので、容易にマルチメディアシステムを構築することができる。
2010526473.tif 000002
【特許請求の範囲】
【請求項１】
画像／オーディオ出力装置及び周辺装置を活用したマルチメディアシステムであって、
画像／オーディオ出力機能及び周辺装置制御機能を備えて、画像及びオーディオを前記画像／オーディオ出力装置を用いて出力し、前記周辺装置を制御する移動通信端末機と、
前記移動通信端末機と前記画像／オーディオ出力装置及び前記周辺装置を連結して、前記画像及びオーディオを前記移動通信端末機から前記画像／オーディオ出力装置に中継し、前記移動通信端末機と前記周辺装置との間に送受信されるデータを中継する外部連結装置と、
を含むことを特徴とする外部連結装置を用いるマルチメディアシステム。
【請求項２】
前記外部連結装置は、
外部から供給される供給電源を前記移動通信端末機に伝達して前記移動通信端末機のバッテリーを充電することを特徴とする請求項１に記載の外部連結装置を用いるマルチメディアシステム。
【請求項３】
前記外部連結装置は、
前記移動通信端末機を据置する据置台であることを特徴とする請求項１に記載の外部連結装置を用いるマルチメディアシステム。
【請求項４】
前記移動通信端末機は、
マルチメディアデータから画像信号を抽出して前記画像信号を前記外部連結装置を用いて前記画像／オーディオ出力装置に伝達するビデオ制御部と、
前記マルチメディアデータからオーディオ信号を抽出して前記オーディオ信号を前記外部連結装置を用いて前記画像／オーディオ出力装置に伝達するオーディオ制御部と、
前記外部連結装置を用いて前記周辺装置と通信を遂行することによって、前記周辺装置を制御する周辺装置制御部と、
を含むことを特徴とする請求項１に記載の外部連結装置を用いるマルチメディアシステム。
【請求項５】
前記マルチメディアシステムは、
遠隔から前記移動通信端末機を制御する遠隔制御装置を更に含み、かつ前記外部連結装置は前記遠隔制御装置から受信する遠隔制御信号を前記移動通信端末機に中継することを特徴とする請求項１に記載の外部連結装置を用いるマルチメディアシステム。
【請求項６】
前記移動通信端末機は、
前記遠隔制御信号を受信し、前記遠隔制御信号に従い前記移動通信端末機の付加機能を制御する遠隔制御部を含むことを特徴とする請求項５に記載の外部連結装置を用いるマルチメディアシステム。
【請求項７】
画像／オーディオ出力装置及び周辺装置と移動通信端末機とを連結する装置であって、
前記移動通信端末機と連結するための入出力端子と、
前記画像／オーディオ出力装置と連結するための画像／オーディオ端子と、
前記周辺装置と連結するための汎用直列バス（ＵＳＢ：Ｕｎｉｖｅｒｓａｌ  Ｓｅｒｉａｌ  Ｂｕｓ；以下、“ＵＳＢ”と称する）連結端子と、
を含むことを特徴とするマルチメディアシステムのための外部連結装置。
【請求項８】
前記外部連結装置は、
外部から供給電源の供給を受ける電源端子と、
前記供給電源を連結するか否かをスイッチングする電源スイッチと、
前記電源スイッチから前記供給電源が伝達されれば、前記入出力端子及び前記ＵＳＢ連結端子に前記供給電源を伝達する電源部と、
を更に含むことを特徴とする請求項７に記載のマルチメディアシステムのための外部連結装置。
【請求項９】
前記外部連結装置は、
前記入出力端子を通じて伝達される画像信号をフィルタリングして前記画像／オーディオ端子に伝達するビデオフィルタと、
前記入出力端子を通じて伝達されるオーディオ信号をフィルタリングして前記画像／オーディオ端子に伝達するオーディオフィルタと、
を更に含むことを特徴とする請求項７に記載のマルチメディアシステムのための外部連結装置。
【請求項１０】
前記画像／オーディオ端子は、
コンポジットビデオ端子、右側オーディオ端子、及び左側オーディオ端子を含み、かつ前記ビデオフィルタは前記コンポジットビデオ端子と連結され、前記オーディオフィルタは前記右側オーディオ端子及び前記左側オーディオ端子に連結されることを特徴とする請求項９に記載のマルチメディアシステムのための外部連結装置。
【請求項１１】
前記外部連結装置は、
遠隔制御装置から遠隔制御信号を受信して前記入出力端子に伝達する遠隔制御端子を更に含み、かつ前記遠隔制御信号は前記入出力端子を通じて前記移動通信端末機に伝達されることを特徴とする請求項７に記載のマルチメディアシステムのための外部連結装置。
【請求項１２】
前記入出力端子は、
２４ピン（Ｐｉｎ）インターフェースであることを特徴とする請求項７に記載のマルチメディアシステムのための外部連結装置。
【請求項１３】
前記移動通信端末機は、
バッテリー、汎用直列バスオンザゴー（ＵＳＢ  ＯＴＧ：Ｕｎｉｖｅｒｓａｌ  Ｓｅｒｉａｌ  Ｂｕｓ  Ｏｎ  Ｔｈｅ  Ｇｏ）、オーディオ出力、ビデオ出力、及び遠隔制御受信部を含み、かつ前記入出力端子と連結されることを特徴とする請求項７に記載のマルチメディアシステムのための外部連結装置。
【請求項１４】
前記ＵＳＢ連結部は、
ＵＳＢインターフェースであることを特徴とする請求項７に記載のマルチメディアシステムのための外部連結装置。
【発明の詳細な説明】
【技術分野】
【０００１】
本発明は、移動通信端末機を用いるマルチメディアシステム及び外部連結装置に関し、より詳しくは、移動通信端末機に画像／オーディオ出力機能、周辺装置制御機能など、多様なマルチメディア機能を内蔵し、移動通信端末機を外部連結装置を通じて画像／オーディオ出力装置または周辺装置に連結し、遠距離から遠隔制御装置に移動通信端末機を制御することによって、移動通信端末機を活用して多様なマルチメディア環境を提供できるシステム及び外部連結装置に関する。
【背景技術】
【０００２】
電子、通信技術が発展するにつれて、移動通信技術が常用化され普及されて、携帯電話、個人携帯端末機などの移動通信端末機は現代人の必需品として位置を占めている。
【０００３】
移動通信端末機は、移動しながら音声通話とデータ通信を遂行することができる端末機であって、移動性を最大化するために携帯が簡便になるように、より小型化、軽量化されている。このように、小型で製作される移動通信端末機は、ユーザが携帯して利用することには便利であるが、無線インターネット、カメラ、音楽再生、動画再生、ゲームなど、マルチメディア機能が基本的に搭載される最近の移動通信端末機は、小画面によりマルチメディアの本来の機能が最大化できないという短所がある。
【０００４】
即ち、小画面を持つ移動通信端末機において、無線インターネットを通じたウェブページ全体を出力できず、動画、ゲームなどを遂行する時にも小画面により実感の出る鑑賞ができないという短所がある。
【０００５】
また、小型化によって、ユーザから命令語またはデータの入力を受けるための入力手段もキーパッドのように非常に小さなインターフェースを用いているので、ゲームのような多様で、かつ複雑な入力が必要な場合に操作が不便であるので、モバイルゲームのようなマルチメディア機能が正しく活用できないという短所がある。
【０００６】
このような問題を解決するために、最近、移動通信端末機で再生される画面や音を外部のＴＶなどに出力するか、マウス、キーボード、ジョイスチックのような多様で、かつ便利な入力手段などと直接連結して、命令語またはデータの入力を受けることができるように機能が追加されており、延いては、ハードディスク、外装メモリなど、多様な外装格納装置と直接連結されて移動通信端末機のメモリの不足を解決する方案も構想されている。
【０００７】
しかしながら、このように移動通信端末機が外部の他の装置と直接的に連結される場合が多くなるにつれて、移動通信端末機と外部の他の装置とを直接的に連結するためのインターフェースが移動通信端末機に備えられなければならないが、移動通信端末機が小型化するにつれて、外部装置と連結するためのインターフェースを追加するための空間を設けることが困難な実状であり、難しくインターフェースを追加するための空間を設けて連結して常用するとしても、多くの外部装置と移動通信端末機が直接連結されることで、連結のための配線が複雑になり、連結する度に連結線を着脱しなければならないという面倒さがある問題点がある。
【０００８】
また、多くの外部装置を連結した状態で移動通信端末機内のデータを外部装置を通じて出力するか、命令語またはデータの入力を受けてゲームなどを遂行する時、外部装置に出力される画像を視聴しながら移動通信端末機を操作しなければならないが、ユーザが移動通信端末機と遠い距離にある時には移動通信端末機を制御する度に移動通信端末機の近くに近づいて移動通信端末機を操作しなければならないという面倒さがある。
【０００９】
このような面倒さを解決するために、最近、移動通信端末機に赤外線通信モジュールを搭載して、リモートコントロール（Ｒｅｍｏｔｅ  Ｃｏｎｔｒｏｌ  Ｓｙｓｔｅｍ）のような遠隔制御装置を用いて移動通信端末機を制御する技術が開発されたが、移動通信端末機に備えられる赤外線ポートが上側、下側、左側、右側、正面など、移動通信端末機の一部分に備えられているので、遠隔制御装置と移動通信端末機の赤外線ポートとが対向する方向やそれと類似な方向に置かれていないと、遠隔制御が可能でないという問題点があり、このために遠隔制御を遂行する度に移動通信端末機の赤外線ポートを移動させなければならないという問題点がある。
【００１０】
また、移動通信端末機に赤外線通信モジュールを搭載する通常的な場合には、移動通信端末機が赤外線通信モジュールを通じて赤外線受信を常時待機しなければならないので、電力消耗が多くなり、それによってバッテリーの待機時間が減ってユーザの不便をもたらす問題点がある。
【発明の概要】
【発明が解決しようとする課題】
【００１１】
このような問題点を解決するために本発明は、移動通信端末機に画像／オーディオ出力機能、周辺装置制御機能など、多様なマルチメディア機能を内蔵し、移動通信端末機を外部連結装置を通じて画像／オーディオ出力装置、または周辺装置に連結し、遠距離から遠隔制御装置に移動通信端末機を制御することによって、移動通信端末機を活用して多様なマルチメディア環境を提供できるシステム及びそのための外部連結装置を提供することをその主な目的とする。
【課題を解決するための手段】
【００１２】
このような目的を達成するために本発明は、画像／オーディオ出力装置及び周辺装置を活用したマルチメディアシステムであって、画像／オーディオ出力機能及び周辺装置制御機能を具備して、画像及びオーディオを画像／オーディオ出力装置を用いて出力し、周辺装置を制御する移動通信端末機と、移動通信端末機と画像／オーディオ出力装置及び周辺装置を連結して、画像及びオーディオを移動通信端末機から画像／オーディオ出力装置に中継し、移動通信端末機と周辺装置との間に送受信されるデータを中継する外部連結装置と、を含むことを特徴とする外部連結装置を用いるマルチメディアシステムを提供する。
【００１３】
また、本発明の他の目的によれば、画像／オーディオ出力装置及び周辺装置と移動通信端末機とを連結する装置であって、上記移動通信端末機と連結するための入出力端子と、上記画像／オーディオ出力装置と連結するための画像／オーディオ端子と、周辺装置と連結するための汎用直列バス（ＵＳＢ：Ｕｎｉｖｅｒｓａｌ  Ｓｅｒｉａｌ  Ｂｕｓ；以下、“ＵＳＢ”と称する）連結端子と、を含むことを特徴とするマルチメディアシステムのための外部連結装置を提供する。
【発明の効果】
【００１４】
本発明によれば、移動通信端末機を用いてマルチメディアデータを再生する時、外部のＴＶなどの画像／オーディオ出力装置、またはコンピュータ、マウス、ジョイスチックなど、周辺装置と簡便に連結できるので、容易にマルチメディアシステムを構築することができる。
【００１５】
また、リモートコントロールなどの遠隔制御装置を用いて移動通信端末機を遠隔から制御できるので、マルチメディアシステムの本来の機能をうまく活かすことができる。
【００１６】
また、外部連結装置の機能及び構成を簡素化して、具現が容易で、かつ具現費用を低減することができる。
【００１７】
また、移動通信端末機がリモートコントロールなどの遠隔制御装置から遠隔制御信号を受信するために常に電力を消耗しなくてもよいので、電力消耗を最小化してバッテリーの待機時間を増やすことができる。
【図面の簡単な説明】
【００１８】
【図１】本発明の好ましい実施形態に従う移動通信端末機を用いるマルチメディアシステムを簡略に示すブロック構成図である。
【図２】本発明の好ましい実施形態に従う外部連結装置の内部構成を簡略に示すブロック構成図である。
【図３】本発明の好ましい実施形態に従う移動通信端末機の内部構成を簡略に示すブロック構成図である。
【図４】本発明の好ましい実施形態に従うマルチメディアシステムの具現例を説明するための例示図である。
【発明を実施するための形態】
【００１９】
以下、本発明の好ましい実施形態を添付された図面を参照しつつ詳細に説明する。まず各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすると判断される場合にはその詳細な説明は省略する。
【００２０】
図１は、本発明の好ましい実施形態に従う移動通信端末機を用いるマルチメディアシステムを簡略に示すブロック構成図である。
【００２１】
本発明の好ましい実施形態に従う移動通信端末機を用いるマルチメディアシステムは、移動通信端末機１１０、外部連結装置１２０、画像／オーディオ出力装置１３０、周辺装置１４０、及び遠隔制御装置１５０を含んで構成される。
【００２２】
移動通信端末機１１０は、移動通信を用いて音声通話または無線データサービスを遂行するか、ダウンロードし格納した画像、動画、音楽などのマルチメディアデータを再生するか、無線データサービスを用いてゲームなどを遂行する携帯端末機である。このような移動通信端末機としては、携帯電話、個人携帯端末機（ＰＤＡ：Ｐｅｒｓｏｎａｌ  Ｄｉｇｉｔａｌ  Ａｓｓｉｓｔａｎｔｓ）、ポータブルマルチメディアプレーヤ（ＰＭＰ：Ｐｏｒｔａｂｌｅ  Ｍｕｌｔｉｍｅｄｉａ  Ｐｌａｙｅｒ）、プレイステーションポータブル（ＰＳＰ：Ｐｌａｙ  Ｓｔａｔｉｏｎ  Ｐｏｒｔａｂｌｅ）などがある。
【００２３】
本発明の好ましい実施形態に従う移動通信端末機１１０は、画像／オーディオ出力機能、及び周辺装置制御機能を具備して、マルチメディアデータから画像及びオーディオを抽出して外部連結装置１２０を通じて画像／オーディオ出力装置１３０に伝達し、画像／オーディオ出力装置１３０を用いて出力し、外部連結装置１２０を通じて周辺装置１４０とデータ通信を遂行して周辺装置１４０を制御する。
【００２４】
また、本発明の好ましい実施形態に従う移動通信端末機１１０は、遠隔制御機能を具備して、外部連結装置１２０を通じて遠隔制御装置１５０から遠隔制御信号を受信すれば、遠隔制御信号に従い備えた付加機能（例えば、チャネル変更機能、音量調節機能等）を制御する。
【００２５】
本発明の好ましい実施形態に従う移動通信端末機１１０の内部構成については後述する過程で図３を通じて詳細に説明する。
【００２６】
本発明の好ましい実施形態に従う外部連結装置１２０は、携帯電話据置台のように具現されて移動通信端末機１１０を据置し、移動通信端末機１１０と画像／オーディオ出力装置１３０及び周辺装置１４０を連結して移動通信端末機１１０から伝達される画像信号及びオーディオ信号を画像／オーディオ出力装置１３０に伝達し、移動通信端末機１１０と周辺装置１４０が送受信するデータを中継し、遠隔制御装置１５０から受信する遠隔制御信号を移動通信端末機１１０に中継する。
【００２７】
また、本発明の好ましい実施形態に従う外部連結装置１２０は、ビデオフィルタ機能及びオーディオフィルタ機能を備えて、移動通信端末機１１０から画像信号及びオーディオ信号が伝達されれば、画像信号をフィルタリングして画像／オーディオ出力装置１３０に伝達し、オーディオ信号をフィルタリングして画像／オーディオ出力装置１３０に伝達する。
【００２８】
また、本発明の好ましい実施形態に従う外部連結装置１２０は、外部から供給される供給電源を移動通信端末機１１０、周辺装置１３０、及び外部連結装置１２０のビデオフィルタ及びオーディオフィルタに供給する。
【００２９】
本発明の好ましい実施形態に従う外部連結装置１２０の内部構成については後述する過程で図２を通じて詳細に説明する。
【００３０】
画像／オーディオ出力装置１３０は、ＴＶのように大画面の画像とオーディオを出力できる出力装置であって、空中波放送を受信して画像とオーディオを出力することもでき、外部から画像信号及びオーディオ信号を受信して表示装置及びオーディオ出力装置に出力することもできる。画像／オーディオ出力装置１３０は、画像信号を受信するためのビデオ端子、オーディオ信号を受信するための右側オーディオ端子、及び左側オーディオ端子を具備し、各端子が外部連結装置１２０と連結される。
【００３１】
周辺装置１４０は、コンピュータ、ノートブック、ジョイスチック、汎用直列バス（ＵＳＢ：Ｕｎｉｖｅｒｓａｌ  Ｓｅｒｉａｌ  Ｂｕｓ）メモリ、ハードディスクなどの各種周辺機器であって、外部連結装置１２０を通じて移動通信端末機１１０と連結されて移動通信端末機１１０とデータを送信して移動通信端末機１１０の制御によって動作する。
【００３２】
遠隔制御装置１５０は、リモートコントロール（Ｒｅｍｏｔｅ  Ｃｏｎｔｒｏｌ  Ｓｙｓｔｅｍ）のように、遠隔から他の装置を制御する制御装置であって、赤外線信号を外部連結装置１２０の赤外線受光部に送出して外部連結装置１２０と連結された移動通信端末機１１０を制御する。
【００３３】
図２は、本発明の好ましい実施形態に従う外部連結装置１２０の内部構成を簡略に示すブロック構成図である。
【００３４】
本発明の好ましい実施形態に従う外部連結装置１２０は、入出力端子２２０、電源端子２２２、電源スイッチ２２４、電源部２２６、オーディオフィルタ２２８、ビデオフィルタ２３０、右側オーディオ端子２３２、左側オーディオ端子２３４、及びコンポジットビデオ端子２３６、ＵＳＢ連結端子２３８、及び遠隔制御端子２４０を含んで構成される。
【００３５】
入出力端子２２０は、移動通信端末機１１０と連結するための端子であって、２４ピン（Ｐｉｎ）インターフェースで具現されることができ、２４ピン構造のうち、複数個の特定のピンを通じて移動通信端末機１１０とデータを送信する。
【００３６】
＜表１＞は本発明の好ましい実施形態に従う２４ピン構造を表すものである。
【００３７】
【表１】
2010526473.tif 000003
【００３８】
＜表１＞に表した本発明の好ましい実施形態に従う２４ピン構造は、標準２４ピンインターフェースのうち、１番、２番、４番乃至６番、１２番乃至１４番、１７番、１８番、及び２０番乃至２４番はそのまま使用し、４番、７番乃至１１番、１５番、１６番、及び１９番を移動通信端末機１１０への電源供給、移動通信端末機１１０と画像／オーディオ出力装置１３０との間の連結、または移動通信端末機１１０と周辺装置１４０との連結のために新しく定義して使用する。
【００３９】
したがって、入出力端子２２０は、＜表１＞に表した２４ピン構造を通じて移動通信端末機１１０と連結されるが、この際、２４ピン構造は、移動通信端末機１１０のバッテリー２１２、ＵＳＢ  ＯＴＧ（ＵＳＢ  Ｏｎ  Ｔｈｅ  Ｇｏ）２１４、オーディオ出力２１６、ビデオ出力２１８、及び受信部２１９と連結される。一方、入出力端子２２０は、前述したように、標準２４ピン構造で具現されることができるが、最近の韓国情報通信技術協会（ＴＴＡ：Ｔｅｌｅｃｏｍｍｕｎｉｃａｔｉｏｎ  Ｔｅｃｈｎｏｌｏｇｙ  Ａｓｓｏｃｉａｔｉｏｎ）で移動通信端末機の外部端子を２０ピンで構成することを推進しているように、２０ピン構造で具現されることもできる。
【００４０】
電源端子２２２は、外部から供給される供給電源２５０と連結されて供給される電源を電源スイッチ２２４に伝達する。
【００４１】
電源スイッチ２２４は、電源端子２２２から伝達される供給電源をスイッチの状態によって入出力端子２２０または電源部２２６に伝達または遮断する。
【００４２】
電源部２２６は、ＵＳＢ連結端子２３８に供給電源を供給し、外部連結装置１２０内のオーディオフィルタ２２８及びビデオフィルタ２３０が備えられる場合、オーディオフィルタ２２８及びビデオフィルタ２３０の動作電源を供給する。
【００４３】
オーディオフィルタ２２８は、入出力端子２２０を通じて移動通信端末機１１０から受信するオーディオ信号をフィルタリングして右側オーディオ端子２３２及び左側オーディオ端子２３４に伝達する。
【００４４】
ビデオフィルタ２３０は、入出力端子２２０を通じて移動通信端末機１１０から受信する画像信号をフィルタリングしてコンポジットビデオ端子２３６に伝達する。
【００４５】
右側オーディオ端子２３２は、画像／オーディオ出力装置１３０のオーディオ端子と連結されて、移動通信端末機１１０から伝達される右側オーディオ信号を画像／オーディオ出力装置１３０に伝達する。
【００４６】
左側オーディオ端子２３４は、画像／オーディオ出力装置１３０のオーディオ端子と連結されて、移動通信端末機１１０から伝達される左側オーディオ信号を画像／オーディオ出力装置１３０に伝達する。
【００４７】
コンポジットビデオ端子２３６は、画像／オーディオ出力装置１３０のビデオ端子と連結されて、移動通信端末機１１０から伝達される画像信号を画像／オーディオ出力装置１３０に伝達する。
【００４８】
ＵＳＢ連結端子２３８は、ＵＳＢインターフェースで具現されて周辺装置１４０と連結され、供給電源を周辺装置２３８に伝達するか、移動通信端末機１１０と周辺装置１４０がＵＳＢインターフェースを介してデータ通信を遂行するようにする。
【００４９】
遠隔制御端子２４０は、ＩｒＤＡ（Ｉｎｆｒａｒｅｄ  Ｄａｔａ  Ａｓｓｏｃｉａｔｉｏｎ）受光センサーのような赤外線受光部で具現されて、遠隔制御装置１５０から遠隔制御信号を受信すれば、入出力端子２２０に伝達して移動通信端末機１１０に伝達されるようにする。
【００５０】
一方、図２では、本発明の好ましい実施形態に従う外部連結装置１２０が電源端子２２２、電源スイッチ２２４、電源部２２６、オーディオフィルタ２２８、ビデオフィルタ２３０、及び遠隔制御端子２４０を全て含むこととして図示及び説明したが、外部連結装置１２０に充電機能が不要の場合には、電源端子２２２、電源スイッチ２２４、及び電源部２２６を必ず備える必要はないし、この時には入出力端子２２０とＵＳＢ連結端子２３８とが直接連結される。
【００５１】
また、本発明の好ましい実施形態に従う外部連結装置１２０にオーディオフィルタ機能及びビデオフィルタ機能が不要の場合には、オーディオフィルタ２２８及びビデオフィルタ２３０を必ず備える必要はないし、この時には入出力端子２２０と右側オーディオ端子２３２、左側オーディオ端子２３４、及びコンポジット端子２３６が銅線などを通じて直接連結される。
【００５２】
また、本発明の好ましい実施形態に従う外部連結装置１２０に赤外線受信機能が不要の場合には、遠隔制御端子２４０を必ず備える必要はないし、遠隔制御端子２４０と入出力端子２２０とは連結されない。
【００５３】
また、図２では、本発明の好ましい実施形態に従う外部連結装置１２０が画像／オーディオ出力装置１３０と右側オーディオ端子２３２、左側オーディオ端子２３４、及びコンポジットビデオ端子２３６の３個の端子を通じて連結されたことと図示及び説明したが、右側オーディオ端子２３２、左側オーディオ端子２３４、及びコンポジットビデオ端子２３６は、１つの画像／オーディオ端子で具現されることができる。ここで、１つの画像／オーディオ端子としては、スーパービデオ（Ｓｕｐｅｒ−Ｖｉｄｅｏ）端子または高鮮明マルチメディアインターフェース（ＨＤＭＩ：Ｈｉｇｈ  Ｄｅｆｉｎｉｔｉｏｎ  Ｍｕｌｔｉｍｅｄｉａ  Ｉｎｔｅｒｆａｃｅ）端子などがある。
【００５４】
仮に、外部連結装置１２０と画像／オーディオ出力装置１３０が１つの画像／オーディオ端子であるスーパービデオ端子に連結されるように具現される場合には、移動通信端末機１１０のオーディオ出力２１６とビデオ出力２１８は、左側オーディオ信号、右側オーディオ信号とＹ信号、及びカラー信号を出力するように具現され、オーディオ出力２１６とビデオ出力２１８は、入出力端子２２０の４個のピンと連結されてスーパービデオ端子のオーディオ２ピン及びビデオ２ピンと連結される。
【００５５】
また、仮に外部連結装置１２０と画像／オーディオ出力装置１３０とが１つの画像／オーディオ端子である高鮮明マルチメディアインターフェース端子に連結されるように具現される場合には、移動通信端末機１１０内に高鮮明マルチメディアインターフェースエンコーダ（ＨＤＭＩ  Ｅｎｃｏｄｅｒ、図示せず）が更に構成され、画像／オーディオ出力装置１３０内に高鮮明マルチメディアインターフェースデコーダ（ＨＤＭＩ  Ｄｅｃｏｄｅｒ、図示せず）が更に構成されることが好ましくて、移動通信端末機１１０のオーディオ出力２１６とビデオ出力２１８は、圧縮されていないディジタルオーディオ信号及びディジタルビデオ信号を出力して追加された高鮮明マルチメディアインターフェースエンコーダ（ＨＤＭＩ  Ｅｎｃｏｄｅｒ）を通じて１つに合わせられて外部連結装置１２０の入出力端子２２０（例えば、４０ピンコネクタ高鮮明マルチメディアインターフェースの１９ピン端子のうち、使用しなかったり重なる部分を除外した１６ピンと既存の２４ピンを合せた４０ピンコネクタを必要とする）を使用するか、入出力端子２２０に別の高鮮明マルチメディアインターフェース端子を追加して使用することができる）を通じて画像／オーディオ出力装置１３０に伝達し、画像／オーディオ出力装置１３０は追加された高鮮明マルチメディアインターフェースデコーダを用いて合わせられた信号をディジタルオーディオ信号及びディジタルビデオ信号に分離して画像及びオーディオを出力する。即ち、移動通信端末機１１０が動画を再生してビデオ信号とオーディオ信号を高鮮明マルチメディアインターフェースの出力形態で生成し、外部連結装置１２０の入出力端子２２０を通じて画像／オーディオ出力装置１３０に伝達し、画像／オーディオ出力装置１３０は外部連結装置１２０の入出力端子２２０を通じて受信する高鮮明マルチメディアインターフェースの出力形態であるビデオ信号とオーディオ信号を分離して画像とオーディオで再生する。
【００５６】
図３は、本発明の好ましい実施形態に従う移動通信端末機の内部構成を簡略に示すブロック構成図である。
【００５７】
本発明の好ましい実施形態に従う移動通信端末機１１０は、主制御部３１０、ビデオ制御部３２０、オーディオ制御部３３０、周辺装置制御部３４０、及び遠隔制御部３５０を含んで構成される。ここで、各構成要素は各機能を遂行するソフトウェアを格納するメモリと、メモリに格納されたソフトウェアを実行するマイクロプロセッサとを含む。
【００５８】
主制御部３１０は、移動通信端末機１１０の全般的な制御を遂行する制御手段である。
【００５９】
ビデオ制御部３２０は、移動通信端末機１１０で格納、再生、または実行されるマルチメディアデータから画像信号を抽出し、抽出した画像信号をビデオ出力２１８と外部連結装置１２０を通じて画像／オーディオ出力装置１３０に伝達する。
【００６０】
オーディオ制御部３３０は、移動通信端末機１１０で格納、再生、または実行されるマルチメディアデータからオーディオ信号を抽出し、抽出したオーディオ信号をオーディオ出力２１６と外部連結装置１２０を通じて画像／オーディオ出力装置１３０に伝達する。
【００６１】
一方、図３ではビデオ制御部３２０とオーディオ制御部３３０とが各々別に具現されてオーディオ信号と画像信号とを各々出力することと図示及び説明したが、図２を通じて前述したように、外部連結装置１２０の右側オーディオ端子２３２、左側オーディオ端子２３４、及びコンポジット端子２３６がスーパービデオ端子または高鮮明マルチメディアインターフェース端子のような１つの画像／ビデオ端子で具現される場合、ビデオ制御部３２０及びオーディオ制御部３３０は１つのモジュールとして具現されて画像信号とオーディオ信号とを合わせて全て出力することができる。
【００６２】
周辺装置制御部３４０は、ＵＳＢ  ＯＴＧ２１４と外部連結装置１２０を通じて周辺装置１４０と連結されて、主制御部３１０から周辺装置１４０の制御命令が伝達されれば、周辺装置１４０の連結または接続するか否かを確認して、周辺装置１４０とデータ通信を遂行し、データ通信を通じて周辺装置１４０から入力データを受信して主制御部３１０に伝達するか、周辺装置１４０に格納されたデータを読み取って主制御部３１０に伝達するか、主制御部３１０から伝達されたデータを周辺装置１４０に伝達することによって、周辺装置１４０を制御する。
【００６３】
遠隔制御部３５０は、受信部２１９と外部連結装置１２０を通じて遠隔制御装置１５０から遠隔制御信号を受信し、遠隔制御信号を分析して遠隔制御信号に含まれた制御コードを把握し、制御コードに従う命令を確認して主制御部３１０に伝達することによって、主制御部３１０が遠隔制御信号に従い移動通信端末機１１０の付加機能を制御するようにする。ここで、受信部２１９はディジタル信号を入出力するためのＧＰＩＯ（Ｇｅｎｅｒａｌ  Ｐｕｒｐｏｓｅ  Ｉｎｐｕｔ／Ｏｕｔｐｕｔ）のような入出力装置で具現できる。
【００６４】
図４は、本発明の好ましい実施形態に従うマルチメディアシステムの具現例を説明するための例示図である。
【００６５】
携帯電話のような移動通信端末機１１０を使用するユーザは、移動通信端末機１１０内に格納された動画などのマルチメディアデータを再生しようとする時、移動通信端末機１１０に備えられた小画面またはスピーカーを通じて動画を再生せず、ＴＶのような大型画面または高出力スピーカーを持つ画像／オーディオ出力装置１３０を通じて再生するために、移動通信端末機１１０をクレイドル（Ｃｒａｄｌｅ）のような外部連結装置１２０に挿入して据置させる。移動通信端末機１１０が外部連結装置１２０に据置されれば、移動通信端末機１１０は外部連結装置１２０の入出力端子２１２の２４ピン構造を通じて連結される。
【００６６】
また、ユーザは画像／オーディオ出力装置１３０と外部連結装置１２０とを連結するが、Ｓ−ビデオケーブルまたはコンポジットビデオケーブルにより画像／オーディオ出力装置１３０のビデオ端子と外部連結装置１２０のコンポジットビデオ端子２３６とを連結し、オーディオケーブルにより画像／オーディオ出力装置１３０のオーディオ端子、外部連結装置１２０の右側オーディオ端子２３２、及び左側オーディオ端子２３４を連結する。
【００６７】
以後、ユーザは移動通信端末機１１０を操作して動画などのマルチメディアデータを再生すれば、移動通信端末機１１０で再生する動画から画像信号とオーディオ信号とを抽出して、外部連結装置１２０を通じて画像／オーディオ出力装置１３０に伝達し、画像／オーディオ出力装置１３０では画像とオーディオを出力する。
【００６８】
この際、ユーザは画像／オーディオ出力装置１３０から出力される画像とオーディオを実感の出るように楽しむために、画像／オーディオ出力装置１３０から遠く離れた位置で視聴するが、外部連結装置１２０に据置された移動通信端末機１１０を操作することに不便さが感じられるだけでなく、移動通信端末機１１０を用いてゲームをし、それに対する画像やオーディオは画像／オーディオ出力装置１３０に出力しようとする場合、ジョイスチック、マウス、キーボード、コンピュータなどを用いて移動通信端末機１１０を操作するために、ジョイスチック、マウス、キーボード、コンピュータなどの周辺装置１４０を外部連結装置１２０に連結する。ここで、周辺装置１４０と外部連結装置１２０とはＵＳＢケーブルを介して連結できる。即ち、周辺装置１４０から引出されたＵＳＢケーブルを外部連結装置１２０のＵＳＢ連結端子２３８に連結する。
【００６９】
このように連結した状態で、ユーザは、コンピュータ、マウス、キーボードなどを通じて移動通信端末機１１０を操作して移動通信端末機１１０で再生される動画ゲームなどを外部連結装置１２０と連結された画像／オーディオ出力装置１３０を通じて視聴することができる。
【００７０】
一方、ユーザは画像／オーディオ出力装置１３０で再生される画像及びオーディオの視聴中に音量を調節するか、再生される時点などを調節する時、毎度外部連結装置１２０に据置されている移動通信端末機１１０を操作することに不便さが感じられるので、この時には遠隔制御装置１５０を操作して遠距離で遠隔制御装置１５０に備えられたボタンを簡単に押すことによって、移動通信端末機１１０は外部連結装置１２０を通じて遠隔制御装置１５０から伝達される遠隔制御信号を分析して、それに従う制御を遂行することができる。それによって、ユーザは簡便に遠隔から移動通信端末機１１０を制御できる。
【００７１】
このように、ユーザは、画像／オーディオ出力装置１３０、周辺装置１４０などを外部連結装置１２０と一回だけ連結すれば、以後には移動通信端末機１１０を携帯して使用してからマルチメディアシステムを用いる時には、移動通信端末機１１０を外部連結装置１２０に据置するだけで充電とマルチメディアシステムを構築できるので、非常に便利に移動通信端末機１１０のマルチメディアを鑑賞することができる。
【００７２】
以上、説明したように、本発明では移動通信端末機１１０を外部連結装置１２０に据置するだけで、移動通信端末機１１０を充電するか、ＴＶのような画像／オーディオ出力装置１３０、キーパッド、マウス、ジョイスチック、ＰＣのような周辺装置１４０と容易に連結することができる。
【００７３】
また、画像／オーディオ出力装置１３０に伝達する画像信号とオーディオ信号とを分離する機能、周辺装置を制御する機能、及び遠隔制御装置１５０から受信する遠隔制御信号を分析して制御コードに従う命令を実行する機能を全て移動通信端末機１１０に具備するようにし、外部連結装置１２０はこのための信号またはデータを中継する役目のみ遂行できるようにして、外部連結装置１２０の内部構成を簡素にすることができ、外部連結装置１２０の具現を容易にすることができるだけでなく、具現費用を低減することができる。
【００７４】
また、移動通信端末機１１０に赤外線受光部のような遠隔制御のための遠隔制御端子を具備しないようにし、外部連結装置１２０に遠隔制御端子を具備するようにすることによって、移動通信端末機１１０が外部連結装置１２０に連結される場合のみに内部回路が連結されて遠隔制御信号の受信のための電力消耗がなされて、バッテリーの待機時間を増やすことができる。即ち、移動通信端末機１１０は外部連結装置１２０に連結されて充電される場合のみに入出力端子２２０を通じて受信部２１９と遠隔制御端子２４０とが回路的に連結されるので、移動通信端末機１１０での電力消耗を減らすことができる。
【００７５】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【図１】
2010526473.tif 000004
【図２】
2010526473.tif 000005
【図３】
2010526473.tif 000006
【図４】
2010526473.tif 000007
【国際調査報告】
2010526473.tif 000008
2010526473.tif 000009